(57)【要約】      （修正有）【課題】携帯電話機の道案内機能とウェアラブル型の音声会話機能付き無線機を連動させることで、歩きながら目的地の情報を音声で入力して、ウェアラブル型の音声会話機能付き無線機に取り付けたＬＥＤの発光情報による道案内機能を活用して、目的地を効率的に探すことを可能にする発光機能付き音声会話無線機を提供する。【解決手段】肩に掛けるタイプの携帯電話機と連動する音声会話無線機に３個以上の発光ダイオード５、６、７を配置して、適切な進行方向を指し示すような信号表示させる機能を備えることで、安全に目的地にたどり着くことが可能になる。さらに、カメラ機能も搭載することで、進行方向の景色をリアルタイムで画像認識できる機能を付与できより正確な道案内が可能になる。公共施設に備えられた無線情報システムからの情報も携帯電話機が受信して使用者に伝えることで公共交通施設を利用する利便性が飛躍的に向上する。【選択図】図１
2020010305.tif 000002
【特許請求の範囲】
【請求項１】
携帯電話機と連動する音声会話機能付き無線機において、マイクロプロセッサ、メモリ、オーディオＬＳＩ、電池、無線ＬＡＮ、スピーカ、マイク、イヤホン、センサーを搭載していて、かつ、携帯電話機の道案内機能と連動して、進行方向を示すために発光する発光ダイオードを３個以上備えていることを特徴とする音声会話機能付き無線機。
【請求項２】
携帯電話機と連動する肩に掛ける音声会話機能付き無線機において、マイクロプロセッサ、メモリ、オーディオＬＳＩ、電池、無線ＬＡＮ、カメラ、スピーカ、マイク、イヤホン、センサーを搭載していて、かつ、携帯電話機の道案内機能と連動して、進行方向を示すために発光する発光ダイオードを３個以上備えていることを特徴とする音声会話機能付き無線機。
【請求項３】
請求項１、請求項２に記載の音声会話機能付き無線機において、使用者が進行している方角を正確に計測するための地磁気コンパスを１個以上そなえていることを特徴とする音声会話機能付き無線機。
【請求項４】
請求項１、請求項２、請求項３に記載の音声会話機能付き無線機において、搭載している発光ダイオードが青色、赤色、緑色、オレンジ色の４色以上であることを特徴とする音声会話機能付き無線機。
【請求項５】
請求項１、請求項２、請求項３、請求項４に記載の音声会話機能付き無線機の無線通信方式が無線ＬＡＮの規格、ＩＥＥＥ８０２．１１ａ、ＩＥＥＥ８０２１１ｂ、ＩＥＥＥ８０２．１１ｃ、ＩＥＥＥ８０２．１１ｄ、ＩＥＥＥ８０２．１１ｅ、ＩＥＥＥ８０２．１１ｆ、ＩＥＥＥ８０２．１１ｇ、ＩＥＥＥ８０２．１１ｈ、ＩＥＥＥ８０２．１１ｈ、ＩＥＥＥ８０２．１１ｉ、ＩＥＥＥ８０２．１１ｊ、ＩＥＥＥ８０２．１１ｎ、ＩＥＥＥ８０２．１１ａｃ、ＩＥＥＥ８０２．１１ａｄ、ＩＥＥＥ８０２．１５．１のいずれかである事を特徴とする音声会話機能付き無線機。
【請求項６】
請求項１、請求項２、請求項３、請求項４、請求項５に記載の音声会話機能付き無線機に携帯電話機が公共交通施設から受信した情報を使用者に伝達する機能を備えている事を特徴とする音声会話機能付き無線機。
【請求項７】
請求項１、請求項２、請求項３、請求項４、請求項５に記載の音声会話機能付き無線機に携帯電話機が公共交通施設から受信した情報を使用者に伝達して、電車やバスの乗り降りの情報を伝達する機能を備えている事を特徴とする音声会話機能付き無線機。
【請求項８】
請求項１、請求項２、請求項３、請求項４、請求項５、請求項６、請求項７に記載の音声会話機能付き無線機において、携帯電話機が外国語との翻訳機能を備えている事を特徴とする音声会話機能付き無線機。
【請求項９】
請求項１、請求項２、請求項３、請求項４、請求項５、請求項６、請求項７、請求項８に記載の音声会話機能付き無線機が音楽再生機能を搭載している事を特徴とする音声会話機能付き無線機。
【請求項１０】
請求項１、請求項２、請求項３、請求項４、請求項５、請求項６、請求項７、請求項８、請求項９に記載の音声会話機能付き無線機において、携帯電話機の本人音声確認機能を活用して公共交通機関の電子チケットの購入や商品購入決済を可能にする機能を備えている事を特徴とする音声会話機能付き無線機。
【請求項１１】
音声会話機能付き無線機において、マイクロプロセッサ、メモリ、オーディオＬＳＩ、電池、無線ＬＡＮ、カメラ、スピーカ、マイク、イヤホン、センサー。磁気コンパス、ＧＰＳ、ＬＥＤ、通信機能を搭載していて、人工知能によるリアルタイム画像解析機能と公共交通機関の情報提供サーバーからの情報を組み合わせることで道案内情報を提供することを可能にすることを特徴とする音声会話機能付き無線機。
【請求項１２】
請求項１１に記載の音声会話機能付き無線機が音楽再生機能を搭載している事を特徴とする音声会話機能付き無線機。
【請求項１３】
請求項１、請求項２、請求項３、請求項４、請求項５、請求項６、請求項７、請求項８、請求項９、請求項１０、請求項１１、請求項１２に記載の音声会話機能付き無線機が、肩に装着するタイプ、あるいは耳に装着するタイプであることを特徴とする音声会話機能付き無線機。
【発明の詳細な説明】
【技術分野】
【０００１】本発明は、携帯電話機と連動する音声会話機能付き無線機において、マイクロプロセッサ、メモリ、電池、無線ＬＡＮ、スピーカ、マイク、イヤホンを搭載していて、かつ、携帯電話機の道案内機能と連動して、進行方向を示すために発光する発光ダイオードを３個以上備えていることを特徴とする音声会話機能付き無線機に関する。
【背景技術】
【０００２】従来、携帯電話機の道案内機能は、携帯電話の画面に表示される地図に表示されるアイコンの位置を見て、周辺の道路情報と比較しながら移動方向を自分で判断して、目的地を探していた。従来方法では、携帯電話機を見ながらの移動である上に、自分の進行方向が地図上のアイコンに表示されないので、目的地を探すのが困難であった。
【特許文献１】特開２００４−２２７３６９号公報
【発明の開示】
【発明が解決しようとする課題】
【０００３】従来、携帯電話機の道案内機能は、携帯電話の画面に表示される地図に表示されるアイコンの位置を見て、周辺の道路情報と比較しながら移動方向を自分で判断して、目的地を探していた。従来方法では、携帯電話機を見ながらの移動である上に、自分の進行方向が地図上のアイコンに表示されないので、目的地を探すのが難しいという課題があった。【０００４】本発明は、以上に説明した問題点を解決するためになされたものである。その目的は、携帯電話機の道案内機能とウェアラブル型の音声会話機能付き無線機を連動させることで、歩きながら目的地の情報を音声で入力して、ウェアラブル型の音声会話機能付き無線機に取り付けたＬＥＤの発光情報による道案内機能を活用して、目的地を効率的に探すことを可能にしたものである。【０００５】
【課題を解決するための手段】
【０００６】本発明は、携帯電話機と連動する音声会話機能付き無線機において、マイクロプロセッサ、メモリ、電池、無線ＬＡＮ、スピーカ、マイク、イヤホンを搭載していて、かつ、携帯電話機の道案内機能と連動して、進行方向を示すために発光する発光ダイオードを３個以上備えていることを特徴とする音声会話機能付き無線機を活用して、進行方向をウェアラブル型の音声会話機能付き無線機を装着しているユーザーに効率的に伝えるものである。このウェアラブル型の音声会話機能付き無線機は、磁気コンパスも備えていて、装着するユーザーの進行方向を適切に検出することで正しい進行方向情報を発光情報で伝えるものである。
【発明の効果】
【０００７】  本発明によれば、ウェアラブル型の音声会話機能付き無線機の発光情報を基に進行方向を選択することができるので、目的地にたどり着くための道路の選択が容易になる。さらに、ェアラブル型の音声会話機能付き無線機は、携帯電話機の通信機能を活用して公共交通機関の運行情報を自動で入手することができるので、乗りたい電車やバスの情報を発光機能と音声アシスト機能で知らせてくれるので、公共交通機関を使用する場合の移動もたいへん便利である。
【発明を実施するための形態】
【０００８】以下、本発明の実施の形態を図面を参照して詳細に説明する。
【０００９】図１は、本発明の第１の実施形態を示す図である。携帯電話機と連動する音声会話機能付き無線機において、マイクロプロセッサ、メモリ、電池、無線ＬＡＮ、スピーカ、マイク、イヤホンを搭載していて、かつ、携帯電話機の道案内機能と連動して、進行方向を示すために発光する発光ダイオードを３個以上備えていることを特徴とする音声会話機能付き無線機を示したものである。本発明の発光機能付き音声会話無線機は、中央に青色のＬＥＤを備えていて、左右に１個づつオレンジ色のＬＥＤを搭載している。正しい進行方向に移動している時は、中央の青色のＬＥＤが点滅して、右折する場合には右側のオレンジ色のＬＥＤが点滅して、左折する場合には左側のオレンジ色のＬＥＤが点滅することで、装着者に正しい進行方向を指示する機能を備えている。目的地の地名や住所は、マイクから音声入力することができる。発光機能による進行方向の指示機能以外にも備え付けのイヤホンを装着すれば、音声情報でも進行方向の情報を入手できる機能が付いている。
公共交通機関の運行情報は、携帯電話機が自動で入手して、発光情報と音声情報に自動で反映される仕組みになっている。
【００１０】図２は、７個のＬＥＤを搭載した発光機能付き音声会話無線機を示したものである。前の３個のＬＥＤは中央が青色ＬＥＤ、左右がオレンジ色のＬＥＤで、進行方向を示すものであるのに対して、横の４個の緑色のＬＥＤは、上下方向の指示をする時に発光する機能を備えている。デパートや観光施設における道案内機能に対応したものである。発光機能は、音声アシスト機能と連動することで、複雑な構造物の中に道案内を効率的に行うことができる。
【００１１】図３は、カメラ機能を備えた発光機能付き音声会話無線機の例を示したものである。カメラによる撮像機能を活用することで、進行方向にある建物や案内表示や道路情報をリアルタイムで解析しながら、適切な進行方向の情報を装着者に伝達することを可能にしたものである。カメラで撮像した情報の画像解析は、携帯電話機の持つ高性能プロセッサで行うことで、高い情報解析機能を達成することができる。乗る電車が来た時には、青色のＬＥＤが点滅して、降りる駅に着いたらオレンジ色のＬＥＤが点滅することで、正確な道案内をすることができる。
【００１２】本発明の発光機能付き音声会話無線機は、携帯電話機器の音声認識機能を活用して公共機関の電子チケットの購入や商業施設の電子決済を自動で行うことを可能にするものである。電子チケットの発券装置や商業施設の決済装置との通信は携帯電話機の無線ＬＡＮ機能を活用することができる。本発明の発光機能付き音声会話無線機は、音楽再生機能も搭載しているので、携帯電話機と連動していない時は、音楽プレーヤーとして利用できる。
【００１３】図４は、本発明の発光機能付き音声会話無線機のシステム構成を示したものである。マイクロプロセッサ、メモリ、電池、無線ＬＡＮの各デバイスとスピーカ、マイク、イヤホン等の入出力デバイスとＬＥＤや磁気コンパス等のセンサー類で構成されている。
【００１４】本実施形態は、発光機能付き音声会話無線機の一例を示したものであり、搭載されるＬＥＤの発光色等は、道案内機能の効率性を向上させるものであれば、本実施例の発光色以外のものであっても良い。また、公共交通機関の運行情報や乗り場案内等の情報を入手は、携帯電話機に搭載されるソフトウェアのアップデートにより常に最新の情報連携が図られるようにすることが可能である。
【００１５】なお、上述する各実施の形態は、本発明の好適な実施の形態であり、本発明の要旨を逸脱しない範囲において種々変更実施が可能である。本発明の実施例は、発光機能付き音声会話無線機が携帯電話機と連携することで実現できる機能を中心に説明しているが、発光機能付き音声会話無線機が単体で道案内機能を提供することも可能である。その場合には、通信機能付きの腕時計の表示画面に道案内の補足情報を表示させることができる。
【図面の簡単な説明】
【００１６】
【図１】本発明の発光機能付き音声会話無線機の図面である。
【図２】本発明の上下方向の移動にも対応した発光機能付き音声会話無線機の図面である。
【図３】本発明のカメラを搭載した発光機能付き音声会話無線機の図面である。
【図４】本発明の回路の構成
【符号の説明】
【００１７】１イヤホン
２イヤホン
３マイクロプロセッサと無線ＬＡＮの入ったユニット
４バッテリーユニットとスピーカ
５オレンジ色のＬＥＤ
６青色のＬＥＤ
７オレンジ色のＬＥＤ
８マイク
９磁気コンパス
１０磁気コンパス
１１イヤホン
１２イヤホン
１３緑色のＬＥＤ
１４赤色のＬＥＤ
１５緑色のＬＥＤ
１６赤色のＬＥＤ
１７マイクロプロセッサと無線ＬＡＮの入ったユニット
１８バッテリーユニットとスピーカ
１９オレンジ色のＬＥＤ
２０青色のＬＥＤ
２１オレンジ色のＬＥＤ
２２イヤホン
２３イヤホン
２４マイクロプロセッサと無線ＬＡＮが入ったユニット
２５バッテリーユニットとスピーカ
２６オレンジ色のＬＥＤ
２７青色のＬＥＤ
２８オレンジ色のＬＥＤ
２９カメラ
３０フラッシュメモリ
３１ＳＤＲＡＭメモリ
３２無線ＬＡＮ
３３カメラ
３４入力デバイス
３５出力デバイス
３６センサー類等のデバイス
３７電源・オーディオＬＳＩ
【図１】
2020010305.tif 000003
【図２】
2020010305.tif 000004
【図３】
2020010305.tif 000005
【図４】
2020010305.tif 000006